(57)【要約】      （修正有）【課題】麺類等を洗う時、零れ又流れ出るのを防止する笊とボールとの組み合わせ炊事用具を提供する。【解決の手段】笊と笊受けボールからなる。笊は、外側に、上面から見て笊上部縁より下げた位置に、高さを調整する為の突起凸部分の一段目を対角に一つずつ四箇所に作り付け、更に一段目より下げた位置で上面から見て一段目より対角線をずらした位置に二段目を一つずつ四箇所に作り付ける。笊受けボールは、突起凸部分を受ける為の突起Ｕ字形凹部分を笊受けボールの上面から見て内側上部縁に対角に一つずつ４箇所に作り付ける。【選択図】図１
0003159309.tif 000002
【実用新案登録請求の範囲】
【請求項１】
笊受けボールの上部縁内側に笊の外側の段差突起を受ける為の窪みを対角線上に四箇所設ける。笊の高さを調整する事で使用時に笊の中の物が流れ出さない様にした炊事用品。
笊の外側に高さ調整用の突起を設ける、一段目は笊の上端縁より下げて対角線に一つずつ四箇所の突起を設ける、二段目の突起は一段目より下げ、一段目より対角線を四十五度ずらして対角線の笊の外側に高さ調整用の突起を一つずつ四箇所設ける。
【考案の詳細な説明】
【技術分野】
【０００１】                この考案は、今迄の笊は、水が流れ出る時、中の洗い物等が流れ出していた。特に素麺やうどん等麺類を手揉み洗いをする時、笊の高さを調整する事で流れ出ない様にする物である。
【背景技術】
【０００２】                従来は笊とボールの組み合わせでの単なる水切りで有った
【考案の開示】
【考案が解決しょうとする課題】
【０００３】                其の為に次ぎの様な問題点が有った。
大量の水で麺類等を揉み洗いすると流れ出て仕舞う欠点が有った。本考案は以上の問題点を解決する為に成された物である。
【課題を解決する為の手段】
【０００４】                この考案は水受けボールと水切り笊とを一対とした物で有る。水受けボールの上部内側縁に、対角線に四箇所、笊の外側に段差を付けて設けた突起部分（凸部分）を受ける為の凹部分を設けて笊を受ける。此れによって、笊の高さを調節上げる事により、溢れ出るのを防止する高さ調整可能笊とボールの炊事用具である。
【考案の効果】
【０００５】                笊を上げる事で、洗い水が笊の上部縁から流れ出なく成り、笊の中の洗い物、特に麺類等が零れ出なくなった。
【考案を実施する為の最良の形態】
【０００６】              以下本考案の実施の形態についての説明。
（イ）笊受けボールの上端縁に対角線に四箇所笊の突起（凸）を受ける為の                  （３）凹部を設ける。
（ロ）笊の外側に笊上端から下げた所に一段目の突起（１）を対角線に４箇                  所設け、更に二段目は一段目より対角線を４５度ずらして下げ（２）                  の突起（凸）を４箇所設ける。
本考案は笊受けボールの凹部分と笊の凸部分の構造を持ってかけ流し                  での流出を防止する。
【図面の簡単な説明】
【０００７】
【図１】    本考案笊の斜視図
【図２】    本考案の笊受けボールの斜視図
【図３】    本考案の笊横面図
【図４】    本考案の笊受けボールの横面図
【図５】    本考案の笊受けボールの上面図
【図６】    本考案の笊受けボールのＡ−Ａ断面図
【図７】    本考案の笊受けボールの笊突起（凸）受け凹部分図
【図８】    本考案の笊外底面図
【図９】    本考案の笊突起（１・２）部分斜視図面
【符号の説明】
【０００８】          １    笊部一段目高さ調整突起（凸）
２    笊部二段目高さ調整突起（凸）
３    笊受けボールの笊突起（凸）受け凹部分
４    水切り口
５    笊補強部
【図１】
0003159309.tif 000003
【図２】
0003159309.tif 000004
【図３】
0003159309.tif 000005
【図４】
0003159309.tif 000006
【図５】
0003159309.tif 000007
【図６】
0003159309.tif 000008
【図７】
0003159309.tif 000009
【図８】
0003159309.tif 000010
【図９】
0003159309.tif 000011
【手続補正書】
【提出日】平成21年10月23日(2009.10.23)
【手続補正１】
【補正対象書類名】明細書
【補正対象項目名】全文
【補正方法】変更
【補正の内容】
【考案の詳細な説明】
【技術分野】
【０００１】この考案は、今迄のボールと笊の組み合わせでの洗い物の際、笊の上部の縁の高さと、ボールの上部の縁との高さが同じな為、掛け流しで洗う時、中の洗う物等が溢れ流れ出ていた、笊の高さを調整する事で溢れ流れ出ない様にした高さ調整可能笊とボールとの組み合わせ炊事用具である。
【背景技術】
【０００２】従来は笊とボールの組み合わせでの単なる水切りで有った。
【考案の開示】
【考案が解決しようとする課題】
【０００３】其の為に次の様な問題点が有った、
大量の水で麺類等を揉み洗いすると笊の上部より水と共に洗う物が流れ出てしまう欠点が有った、本考案は以上の問題点を解決する為に成された物である。
【課題を解決するための手段】
【０００４】この考案は水受けボールと水切り笊とを一対とした物である、水受けボールを上面より見て上部内側縁に対角線で１つずつ４箇所、笊の外側に作り付けた２段階の突起（凸部分）を受ける為のＵ字型の凹部分を作り付ける、此れによって笊の高さを上げて調整する事により溢れ出て流れるのを防止する。
【考案の効果】
【０００５】水受けボールの上部の縁より、笊の上部縁を上げる事により、洗う物が笊の上部から溢れ流れ出なくなった。
【考案を実施するための最良の形態】
【０００６】以下本考案の実施の形態についての説明
（イ）笊受けボールの上端内側縁に上面より見て対角線に１つずつ４箇所、笊の高さ調整の為に作り付けてある突起（凸）を受ける為の〔図２〕及び〔図５〕及び〔図６〕及び〔図７〕の符号３のＵ字型の凹部分を作り付ける。
（ロ）笊の外側に笊の上端縁より下げた所に１段目の突起〔図１〕及び〔図３〕の符号１を作り付ける、更に２段目は１段目より下げ、対角線を１段目より４５度ずらし〔図１〕及び〔図３〕及び〔図８〕及び〔図９〕の符号２を作り付ける、本考案は笊受けボールの符号３のＵ字型凹部分と笊の凸部分符号１及び符号２の構造を持って笊の高さを調整する事により掛け流しでの洗い物の溢れ流れ出るのを防止する物である。
【図面の簡単な説明】
【０００７】
【図１】  本考案の笊の斜視図
【図２】  本考案の笊受けボールの斜視図
【図３】  本考案の笊横面図
【図４】  本考案の笊受けボールの横面図
【図５】  本考案の笊受けボールの上面図
【図６】  本考案笊受けボールの〔図５〕のＡ−Ａ断面図
【図７】  本考案の笊受けボールの笊突起凸部分を受ける為のＵ字型凹部分図
【図８】  本考案の笊外側底面図
【図９】  本考案の符号１及び符号２の部分斜視図
【符号の説明】
【０００８】１  笊の外側に取り付けた１段目高さ調整突起（凸部分）
２  笊の外側に取り付けた２段目高さ調整突起（凸部分）
３  笊を受けるボールにおいて、笊の外側に取り付けた突起（凸部分）を受ける為のＵ字形凹部分
４  水切り口
５  笊補強部分
６  笊受けボールの笊受けＵ字型凹部分内の笊の浮き上がりを防止する為の突起凸部分、
【手続補正２】
【補正対象書類名】図面
【補正対象項目名】全図
【補正方法】変更
【補正の内容】
【図１】
0003159309.tif 000012
【図２】
0003159309.tif 000013
【図３】
0003159309.tif 000014
【図４】
0003159309.tif 000015
【図５】
0003159309.tif 000016
【図６】
0003159309.tif 000017
【図７】
0003159309.tif 000018
【図８】
0003159309.tif 000019
【図９】
0003159309.tif 000020
【手続補正書】
【提出日】平成21年12月25日(2009.12.25)
【手続補正１】
【補正対象書類名】実用新案登録請求の範囲
【補正対象項目名】全文
【補正方法】変更
【補正の内容】
【実用新案登録請求の範囲】
【請求項１】
笊受けボールの上部内側縁に、笊の外側に作り付けた突起凸部分を受けるためのＵ字形の凹部分を、上面より見て対角線に１つずつ４箇所に作り付ける、笊の外側に高さ調整用の突起凸部分を作り付ける、１段目は笊の上端縁より下げた位置に対角線に１つずつ４箇所に突起凸部分を作り付ける、２段目の突起凸部分は１段目の突起凸部分より下げた位置に、１段目より４５度ずらした対角線に２段目の突起凸部分を１つずつ４箇所に作り付ける、笊受けボールに笊の突起凸部分を受けるためのＵ字形の凹部分を作り付けたボールと、段差調整用の突起凸部分を作り付けた笊との組み合わせ炊事用具。
【手続補正書】
【提出日】平成22年2月22日(2010.2.22)
【手続補正１】
【補正対象書類名】実用新案登録請求の範囲
【補正対象項目名】全文
【補正方法】変更
【補正の内容】
【実用新案登録請求の範囲】
【請求項１】
笊の外側に笊の高さを調整する為の突起凸部分を上面から見て笊上部縁より下げた位置に一段目を対角線に一つずつ四箇所に作り付け、更に一段目より下げた位置に上面から見て一段目より対角線をずらし二段目の高さを調整する為の突起凸部分を一つずつ四箇所に作り付けた「笊」と、笊の高さ調整用の突起凸部分を受ける為の突起Ｕ字形凹部分を笊受けボールの上面から見て内側上部縁に対角線に一つずつ４箇所に作り付けた「笊受けボール」からなる組み合わせ炊事用具。